(57)【要約】【課題】噴射形態の切替時における空燃比の乱れを抑えることのできる内燃機関の空燃比制御装置を提供する。【解決手段】エンジン１１は、ポート噴射用インジェクタ２２と筒内噴射用インジェクタ１７とを備える。電子制御装置３０は、エンジン１１の実空燃比が目標空燃比となるように燃料噴射量を補正する空燃比補正値を算出する。この空燃比補正値は、目標空燃比と実空燃比との偏差に基づいて算出されるフィードバック補正値と、目標空燃比と実空燃比との定常的なずれを補償する学習値とで構成されている。噴射形態の切替に際して、切替前の噴射形態における学習値及び切替後の噴射形態における学習値の少なくとも一方の学習が完了していないときには、切替前のフィードバック補正値による燃料噴射量の補正を抑制するためにフィードバック補正値を初期化する。【選択図】図１
2012202209.tif 000002
【特許請求の範囲】
【請求項１】
吸気通路に燃料を噴射する吸気通路用噴射弁と、燃焼室内に燃料を直接噴射する筒内用噴射弁とを備え、これら各噴射弁から噴射される燃料の噴射比率が異なる複数の噴射形態に切り替えられる内燃機関に適用されて、同内燃機関の実空燃比が目標空燃比となるように燃料噴射量を補正する空燃比補正値を算出する空燃比制御装置において、
前記空燃比補正値は、目標空燃比と実空燃比との偏差に基づいて算出されるフィードバック補正値と、目標空燃比と実空燃比との定常的なずれを補償する学習値とで構成されており、
前記噴射形態の切替に際して、切替前の噴射形態における前記学習値及び切替後の噴射形態における前記学習値の少なくとも一方の学習が完了していないときには、切替前のフィードバック補正値による燃料噴射量の補正を抑制する
ことを特徴とする内燃機関の空燃比制御装置。
【請求項２】
前記切替前のフィードバック補正値による燃料噴射量の補正の抑制は、前記フィードバック補正値を初期化することによって行われる
請求項１に記載の内燃機関の空燃比制御装置。
【請求項３】
前記噴射形態の切替に際して、切替前の噴射形態における前記学習値及び切替後の噴射形態における前記学習値の双方についてともに学習が完了しているときには、切替直後のフィードバック補正値として、切替直前のフィードバック補正値を設定する
請求項１または２に記載の内燃機関の空燃比制御装置。
【発明の詳細な説明】
【技術分野】
【０００１】
本発明は、内燃機関の実空燃比が目標空燃比となるように燃料噴射量を補正する空燃比制御装置に関するものである。
【背景技術】
【０００２】
内燃機関では、実空燃比が目標空燃比となるように燃料噴射量を補正する空燃比制御が行われている。この空燃比制御では、目標空燃比と実空燃比との偏差に基づいて算出されるフィードバック補正値と、目標空燃比と実空燃比との定常的なずれを補償する学習値とによって燃料噴射量が補正される。
【０００３】
他方、特許文献１に記載されているように、吸気通路に燃料を噴射する吸気通路用噴射弁と燃焼室内に燃料を直接噴射する筒内用噴射弁とを備える内燃機関が知られている。この内燃機関では、各噴射弁から噴射される燃料の噴射比率が互いに異なる複数の噴射形態が用意されており、機関運転状態に応じて噴射形態が切り替えられる。そして、同文献１に記載のごとく、噴射形態を切替可能な内燃機関では噴射形態毎に上記学習値が算出されることにより、吸気通路用噴射弁や筒内用噴射弁の噴射特性に応じた学習値が算出される。
【先行技術文献】
【特許文献】
【０００４】
【特許文献１】特開２００６−２５８０３７号公報
【発明の概要】
【発明が解決しようとする課題】
【０００５】
ところで、上記学習値の学習が完了していない状態で、噴射形態の切替前におけるフィードバック補正値を噴射形態の切替後におけるフィードバック補正値としてそのまま利用してしまうと、噴射形態の切替直後において空燃比が乱れてしまうことがある。
【０００６】
本発明は、上記実情に鑑みてなされたものであり、その目的は、噴射形態の切替時における空燃比の乱れを抑えることのできる内燃機関の空燃比制御装置を提供することにある。
【課題を解決するための手段】
【０００７】
以下、上記目的を達成するための手段及びその作用効果について記載する。
請求項１に記載の発明は、吸気通路に燃料を噴射する吸気通路用噴射弁と、燃焼室内に燃料を直接噴射する筒内用噴射弁とを備え、これら各噴射弁から噴射される燃料の噴射比率が異なる複数の噴射形態に切り替えられる内燃機関に適用されて、同内燃機関の実空燃比が目標空燃比となるように燃料噴射量を補正する空燃比補正値を算出する空燃比制御装置において、前記空燃比補正値は、目標空燃比と実空燃比との偏差に基づいて算出されるフィードバック補正値と、目標空燃比と実空燃比との定常的なずれを補償する学習値とで構成されており、前記噴射形態の切替に際して、切替前の噴射形態における前記学習値及び切替後の噴射形態における前記学習値の少なくとも一方の学習が完了していないときには、切替前のフィードバック補正値による燃料噴射量の補正を抑制することをその要旨とする。
【０００８】
上記学習値の学習完了前では、目標空燃比と実空燃比との定常的なずれが上記フィードバック補正値に含まれてしまうため、同フィードバック補正値は比較的大きい値になりやすい。一方、上記学習値の学習が完了すると、目標空燃比と実空燃比との定常的なずれは学習値によって補償されるため、フィードバック補正値は、学習値の学習完了前と比較して小さい値になる。
【０００９】
従って、噴射形態の切替前での学習値の学習が完了しておらず、噴射形態の切替後での学習値の学習が完了している場合には、噴射形態切替後の上記空燃比補正値として、比較的大きな値となっているフィードバック補正値が学習値に加算されることになり、空燃比補正値が過度に大きくなって燃料噴射量が過剰に補正されるおそれがある。
【００１０】
逆に、噴射形態の切替前での学習値の学習が完了しており、噴射形態の切替後での学習値の学習が完了していない場合には、噴射形態切替後の上記空燃比補正値が、比較的小さい値となっているフィードバック補正値のみによって構成されることになり、空燃比補正値が過度に小さくなって燃料噴射量の補正が不足するおそれがある。
【００１１】
そこで、同構成では、噴射形態の切替に際して、切替前の噴射形態における学習値及び切替後の噴射形態における学習値の少なくとも一方の学習が完了していないときには、切替前のフィードバック補正値による燃料噴射量の補正を抑制するようにしている。そのため、燃料噴射量の過剰補正や補正不足が抑えられるようになり、これにより噴射形態の切替時における空燃比の乱れを抑えることができるようになる。
【００１２】
請求項２に記載の発明は、請求項１に記載の内燃機関の空燃比制御装置において、前記切替前のフィードバック補正値による燃料噴射量の補正の抑制は、前記フィードバック補正値を初期化することによって行われることをその要旨とする。
【００１３】
同構成によれば、噴射形態の切替に際して、切替前の噴射形態における学習値及び切替後の噴射形態における学習値の少なくとも一方の学習が完了していないときには、フィードバック補正値が初期化される。従って、噴射形態切替前のフィードバック補正値によって行われる噴射形態切替後の燃料噴射量の補正を適切に抑制することができるようになる。
【００１４】
請求項３に記載の発明は、請求項１または２に記載の内燃機関の空燃比制御装置において、前記噴射形態の切替に際して、切替前の噴射形態における前記学習値及び切替後の噴射形態における前記学習値の双方についてともに学習が完了しているときには、切替直後のフィードバック補正値として、切替直前のフィードバック補正値を設定することをその要旨とする。
【００１５】
噴射形態の切替前後において学習値の学習が完了している場合には、噴射形態切替後の上記空燃比補正値として、比較的小さい値となっているフィードバック補正値が噴射形態切替後の学習値に加算される。従って、空燃比補正値として過度に大きい値や小さい値が設定されることはなく、燃料噴射量の過剰補正や補正不足が抑えられる。
【００１６】
また、噴射形態切替直後のフィードバック補正値として、噴射形態切替直前のフィードバック補正値を設定する場合には、フィードバック補正値の初期値を設定する場合と比較して、切替直後のフィードバック補正値がある程度更新された状態となっている。そのためより早い時期に空燃比を安定化させることができるようになる。
【図面の簡単な説明】
【００１７】
【図１】本発明にかかる内燃機関の空燃比制御装置を具体化した一実施形態にあって、これが適用されるエンジンの構造を示す模式図。
【図２】学習値の学習完了前と学習完了後とにおけるフィードバック補正値の変化を示す概念図。
【図３】同実施形態におけるフィードバック補正値の反映処理の手順を示すフローチャート。
【図４】噴射形態の切り替えに伴うフィードバック補正値の変化、及び実空燃比の変化を示すタイミングチャート。
【発明を実施するための形態】
【００１８】
以下、この発明にかかる内燃機関の空燃比制御装置を具体化した一実施形態について、図１〜図４を参照して説明する。
図１に示されるように、内燃機関１１の気筒１２内にはピストン１３が備えられている。ピストン１３は、内燃機関１１の出力軸であるクランクシャフト１５にコンロッド１４を介して連結されており、コンロッド１４によりピストン１３の往復運動がクランクシャフト１５の回転運動に変換される。
【００１９】
気筒１２内にあってピストン１３の上方には燃焼室１６が区画形成されており、この燃焼室１６に向かって筒内噴射用インジェクタ１７（筒内用噴射弁）が取り付けられている。筒内噴射用インジェクタ１７には、周知の燃料供給機構を通じて所定の高圧燃料が供給されている。そして、この筒内噴射用インジェクタ１７の開弁駆動により、燃料が燃焼室１６内に直接噴射供給される（筒内噴射）。
【００２０】
また、燃焼室１６には、その内部に形成される燃料と空気とからなる混合気に対して点火を行う点火プラグ１８が取り付けられている。この点火プラグ１８による混合気への点火タイミングは、点火プラグ１８の上方に設けられたイグナイタ１９によって調整される。
【００２１】
更に、上記燃焼室１６には、吸気通路２０及び排気通路２１が連通されている。そして、燃焼室１６と吸気通路２０との連通部分、すなわち吸気ポート２０ａには、同吸気ポート２０ａに燃料を噴射するポート噴射用インジェクタ２２（吸気通路用燃料噴射弁）が設けられている。このポート噴射用インジェクタ２２には、周知の機構を通じて所定圧の燃料が供給されている。そして、このポート噴射用インジェクタ２２の開弁駆動に伴って、燃料が吸気ポート２０ａに噴射される（ポート噴射）。また、吸気通路２０には燃焼室１６に導入される空気量を調量するスロットルバルブが設けられている。
【００２２】
また、排気通路２１の下流には、混合気の空燃比が所定範囲内の値となっているときに浄化機能を発揮する排気浄化装置１００が設けられている。
内燃機関１１の機関制御は、電子制御装置３０により行われている。電子制御装置３０は、機関制御に係る各種処理を実施する中央演算処理装置（ＣＰＵ）、制御用のプログラムや機関制御に必要な情報を記憶するメモリ、筒内噴射用インジェクタ１７やポート噴射用インジェクタ２２の駆動回路、並びにイグナイタ１９等の駆動回路等を備えて構成されている。
【００２３】
電子制御装置３０には、機関運転状態を検出する各種のセンサが接続されている。例えばクランクセンサ３１によって機関出力軸であるクランクシャフト１５の位相角、すなわちクランク角が検出され、これに基づいて機関回転速度ＮＥが算出される。またアクセルセンサ３３によって、アクセル操作量ＡＣＣＰが検出される。また、電子制御装置３０には、吸気通路２０内を流れる空気の量を検出するエアフロエータ３４の検出信号が入力され、この検出信号に基づいて吸入空気量Ｑａが検出される。さらに電子制御装置３０には、機関冷却水の温度（冷却水温ＴＨＷ）を検出する水温センサ３５、吸気の温度（吸気温ＴＨＡ）を検出する温度センサ３６、実空燃比ＡＦｒを検出するために排気中の酸素濃度を検出する空燃比センサ３７等、機関制御に必要なセンサの検出信号が入力されている。そして電子制御装置３０は、こうした各種センサの検出信号によって把握される内燃機関１１の運転状況に応じて、燃料噴射制御や点火時期制御を始めとする各種機関制御を実施する。
【００２４】
電子制御装置３０は、機関負荷や機関回転速度に基づいて筒内噴射用インジェクタ１７及びポート噴射用インジェクタ２２からそれぞれ噴射される燃料の噴射比率を変更することで複数の噴射形態を具現化する。例えば、低負荷運転領域ではポート噴射用インジェクタ２２だけを用いて燃料噴射を行い、高負荷運転領域では筒内噴射用インジェクタ１７だけを用いて燃料噴射を行う。そして中負荷運転領域では、ポート噴射用インジェクタ２２及び筒内噴射用インジェクタ１７の双方から燃料噴射を行う。さらに、後述する学習値Ｇの学習が未完の場合や、筒内噴射用インジェクタ１７に対するデポジット付着の抑制を図る場合には、本来ポート噴射用インジェクタ２２だけを用いた燃料噴射を行う領域であっても、一時的に筒内噴射用インジェクタ１７だけを用いた燃料噴射に切り替える。
【００２５】
また、電子制御装置３０は空燃比制御を行う。この空燃比制御は周知の制御であるため、以下では概要のみを説明する。
空燃比制御では、混合気の実空燃比ＡＦｒが目標空燃比ＡＦｐとなるように基本燃料噴射量Ｑｂを補正する空燃比補正値ＡＦＨを算出される。そして、基本燃料噴射量Ｑｂに対して空燃比補正値ＡＦＨの分だけ燃料噴射量が補正されることにより最終的な燃料噴射量Ｑが算出される。
【００２６】
空燃比補正値ＡＦＨは、目標空燃比ＡＦｐと実空燃比ＡＦｒとの偏差に基づいて算出されるフィードバック補正値（以下、ＦＢ補正値という）Ｈと、目標空燃比ＡＦｐと実空燃比ＡＦｒとの定常的なずれを補償する学習値Ｇとで構成されている。
【００２７】
ＦＢ補正値Ｈは、目標空燃比ＡＦｐと実空燃比ＡＦｒとの偏差に基づいて算出される値であり、算出周期ごとに更新される。
一方、学習値Ｇは、ポート噴射用インジェクタ２２や筒内噴射用インジェクタ１７の噴射特性の個体差等に起因して実空燃比ＡＦｒが目標空燃比ＡＦｐからリッチ側またはリーン側に定常的にずれることを補償する値であり、ＦＢ補正値Ｈの絶対値が所定値を超えることを条件に更新されて学習が完了する。従って、図２に示すように、学習値Ｇの学習完了前では、空燃比補正値ＡＦＨの全てがＦＢ補正値Ｈで構成されている一方、学習値Ｇの学習完了後では、空燃比補正値ＡＦＨがＦＢ補正値Ｈ及び学習値Ｇで構成される。さらに、学習値Ｇの学習完了前では、目標空燃比ＡＦｐと実空燃比ＡＦｒとの定常的なずれがＦＢ補正値Ｈに含まれてしまうため、同ＦＢ補正値Ｈは比較的大きい値になりやすい。一方、学習値Ｇの学習が完了すると、目標空燃比ＡＦｐと実空燃比ＡＦｒとの定常的なずれは学習値Ｇによって補償されるため、ＦＢ補正値Ｈは、学習値Ｇの学習完了前と比較して小さい値になる。
【００２８】
なお、学習値Ｇは、各インジェクタ１７、２２の個体差等を補償する値であるため、ポート噴射用インジェクタ２２及び筒内噴射用インジェクタ１７のそれぞれについて算出される。以下では、ポート噴射用インジェクタ２２に対応した学習値Ｇをポート用学習値Ｇｐといい、筒内噴射用インジェクタ１７に対応した学習値Ｇを筒内用学習値Ｇｄという。  
【００２９】
次に、燃料を噴射するインジェクタがポート噴射用インジェクタ２２から筒内噴射用インジェクタ１７に切り替えられるとき、あるいは筒内噴射用インジェクタ１７からポート噴射用インジェクタ２２に切り替えられるとき、つまり噴射形態を切り替えるときのＦＢ補正値Ｈの設定態様について、図３、４を参照して説明する。
【００３０】
図３に、噴射形態切り替え直後のＦＢ補正値Ｈを設定する反映処理についてその処理手順を示す。なお、本処理は電子制御装置３０によって所定周期ごとに繰り返し実行される。また、この反映処理によって設定された噴射形態の切り替え直後におけるＦＢ補正値Ｈは、その後、目標空燃比ＡＦｐと実空燃比ＡＦｒとの偏差に基づいて随時更新されることにより、切り替え後の噴射形態に対応した値に更新されていく。
【００３１】
さて、本処理が開始されるとまず、噴射形態の切り替え時、つまりポート噴射から筒内噴射への切り替え時、または筒内噴射からポート噴射への切り替え時のいずれかであるか否かが判定される（Ｓ１００）。そして、噴射形態の切り替え時である場合には、筒内用学習値Ｇｄ及びポート用学習値Ｇｐの双方についてともに学習が完了しているか否かが判定される（Ｓ１１０）。そして、筒内用学習値Ｇｄ及びポート用学習値Ｇｐの学習がともに完了している場合には（Ｓ１１０：ＹＥＳ）、噴射形態を切り替える直前のＦＢ補正値Ｈが、噴射形態を切り替えた直後のＦＢ補正値Ｈとして設定される（Ｓ１２０）。そして本処理は一旦終了される。
【００３２】
このように噴射形態切替直後のＦＢ補正値Ｈとして、噴射形態切替直前のＦＢ補正値Ｈを設定する場合には、ＦＢ補正値Ｈの初期値を設定する場合と比較して、切替直後のＦＢ補正値Ｈがある程度更新された状態となっている。そのためより早い時期に実空燃比ＡＦｒを目標空燃比ＡＦｐに向けて安定化させることができる。
【００３３】
また、筒内用学習値Ｇｄ及びポート用学習値Ｇｐの学習がともに完了している場合、つまり噴射形態の切替前後において学習値Ｇの学習が完了している場合には、噴射形態切替後の空燃比補正値ＡＦＨとして、比較的小さい値となっているＦＢ補正値Ｈが噴射形態切替後の学習値Ｇに加算される。従って、空燃比補正値ＡＦＨとして過度に大きい値や小さい値が設定されることはなく、基本燃料噴射量Ｑｂの過剰補正や補正不足が抑えられる。
【００３４】
上記ステップＳ１１０にて筒内用学習値Ｇｄ及びポート用学習値Ｇｐの学習がともに完了していないと判定される場合、つまり筒内用学習値Ｇｄ及びポート用学習値Ｇｐの少なくとも一方の学習が完了していない場合には（Ｓ１１０：ＮＯ）、ステップＳ１３０の処理が行われる。このステップＳ１３０では、噴射形態切替前のＦＢ補正値Ｈによる基本燃料噴射量Ｑｂの補正を噴射形態切り替え後において抑制するために、ＦＢ補正値Ｈが初期化される。そして本処理は終了される。なお、本実施形態では、ＦＢ補正値Ｈの初期値が「０」に設定されているため、ステップＳ１３０ではＦＢ補正値Ｈとして「０」が設定される。
【００３５】
図４に、上記反映処理によるＦＢ補正値Ｈの変化、及び実空燃比ＡＦｒの変化を示す。なお、同図４において、実線には本実施形態におけるＦＢ補正値Ｈ及び実空燃比ＡＦｒの変化を示し、二点鎖線には従来のＦＢ補正値Ｈ及び実空燃比ＡＦｒの変化を示す。
【００３６】
上述したように、学習値Ｇの学習完了前では、目標空燃比ＡＦｐと実空燃比ＡＦｒとの定常的なずれがＦＢ補正値Ｈに含まれてしまうため、同ＦＢ補正値Ｈは比較的大きい値になりやすい。一方、学習値Ｇの学習が完了すると、目標空燃比ＡＦｐと実空燃比ＡＦｒとの定常的なずれは学習値Ｇによって補償されるため、ＦＢ補正値Ｈは、学習値Ｇの学習完了前と比較して小さい値になる。
【００３７】
従って、例えば図４の時刻ｔ１に示すように、ポート噴射から筒内噴射への切り替えに際して、ポート用学習値Ｇｐの学習が完了しておらず筒内用学習値Ｇｄの学習が完了している場合に、噴射形態切り替え前のＦＢ補正値Ｈをそのまま噴射形態切り替え後のＦＢ補正値Ｈに反映してしまうと、次の不都合が生じるおそれがある。すなわち、噴射形態切替後の空燃比補正値ＡＦＨとして、筒内用学習値Ｇｄに加えて、比較的大きな値となっているＦＢ補正値Ｈが加味される。そのため、空燃比補正値ＡＦＨが過度に大きくなって燃料噴射量が過剰に増量補正され、噴射形態の切り替え直後において実空燃比が過度にリッチ化するおそれがある。
【００３８】
また、例えば図４の時刻ｔ２に示すように、筒内噴射からポート噴射への切り替えに際して、筒内用学習値Ｇｄの学習が完了しており、ポート用学習値Ｇｐの学習が完了していない場合に、噴射形態切り替え前のＦＢ補正値Ｈをそのまま噴射形態切り替え後のＦＢ補正値Ｈに反映してしまうと、次の不都合が生じるおそれがある。すなわち、ポート用学習値Ｇｐの学習が完了していないため、噴射形態切替後の空燃比補正値ＡＦＨは、筒内噴射中に更新された比較的小さい値となっているＦＢ補正値Ｈのみによって構成されることになる。従って、空燃比補正値ＡＦＨが過度に小さくなって基本燃料噴射量Ｑｂの補正が不足してしまい、噴射形態の切り替え直後において実空燃比が過度にリーン化するおそれがある。
【００３９】
この点、本実施形態では、ステップＳ１３０の実行により、噴射形態の切替直前におけるＦＢ補正値Ｈを用いた基本燃料噴射量Ｑｂの補正が抑制される。そのため、基本燃料噴射量Ｑｂの過剰な補正や補正不足が抑えられるようになり、これにより噴射形態の切替時における実空燃比ＡＦｒの乱れが抑えられる。特に、本実施形態では、時刻ｔ１や時刻ｔ２においてＦＢ補正値Ｈが初期化される。そのため、噴射形態切替直後の基本燃料噴射量Ｑｂの補正が、噴射形態切替前のＦＢ補正値Ｈによって行われてしまうことを確実に抑制することができる。
【００４０】
以上説明したように、本実施形態によれば、以下の効果を得ることができる。
（１）噴射形態の切替に際して、切替前の噴射形態における学習値Ｇ及び切替後の噴射形態における学習値Ｇの少なくとも一方の学習が完了していないときには（図３のステップＳ１１０：ＮＯ）、噴射形態切替前のＦＢ補正値Ｈによる燃料噴射量の補正を抑制するようにしている（図３のステップＳ１３０）。そのため、噴射形態の切替に際して、燃料噴射量の過剰補正や補正不足が抑えられるようになり、これにより噴射形態の切替時における実空燃比ＡＦｒの乱れを抑えることができるようになる。
（２）図３のステップＳ１１０で否定判定されるときには、噴射形態切替前のＦＢ補正値Ｈによる燃料噴射量の補正を抑制するためにＦＢ補正値Ｈを初期化するようにしている。従って、噴射形態切替前のＦＢ補正値Ｈによって行われる噴射形態切替後の燃料噴射量の補正を適切に抑制することができるようになる。
（３）噴射形態の切替に際して、切替前の噴射形態における学習値Ｇ及び切替後の噴射形態における学習値Ｇの双方についてともに学習が完了しているときには、切替直後のＦＢ補正値Ｈとして、切替直前のＦＢ補正値Ｈを設定するようにしている。従って、噴射形態切り替え後の空燃比補正値ＡＦＨとして過度に大きい値や小さい値が設定されることはなく、燃料噴射量の過剰補正や補正不足が抑えられるようになる。
【００４１】
また、噴射形態切替直後のＦＢ補正値Ｈとして、同ＦＢ補正値Ｈの初期値を設定する場合と比較してより早い時期に実空燃比ＡＦｒを安定化させることができるようになる。
なお、上記実施形態は、以下のように変更して実施することもできる。
・噴射形態切替前のＦＢ補正値Ｈによる燃料噴射量の補正を抑制するために、ＦＢ補正値Ｈを初期化するようにした。この他、噴射形態の切替に際しては、噴射形態切替前のＦＢ補正値Ｈを補正してある程度小さい値にし、この補正された値を切り替え直後のＦＢ補正値Ｈとして設定するようにしてもよい。
・上記反映処理では、図３のステップＳ１００における噴射形態の切り替え判定に際して、ポート噴射から筒内噴射への切り替え時、または筒内噴射からポート噴射への切り替え時のいずれかであるか否かを判定するようにした。この他、ポート噴射及び筒内噴射をともに行う領域において、各インジェクタ１７、２２の噴射比率が変更されるときにも、噴射形態の切り替え時であると判定し、ステップＳ１１０〜Ｓ１３０の処理を同様に行うようにしてもよい。なお、この場合には、設定される噴射比率ごとにポート用学習値Ｇｐ及び筒内用学習値Ｇｄをそれぞれ算出する。そしてステップＳ１１０では、噴射比率変更前及び変更後のそれぞれにおいてポート用学習値Ｇｐ及び筒内用学習値Ｇｄの双方の学習が完了している場合に肯定判定されるようにする。
【符号の説明】
【００４２】
１１…内燃機関、１２…気筒、１３…ピストン、１４…コンロッド、１５…クランクシャフト、１６…燃焼室、１７…筒内噴射用インジェクタ、１８…点火プラグ、１９…イグナイタ、２０…吸気通路、２０ａ…吸気ポート、２１…排気通路、２２…ポート噴射用インジェクタ、３０…電子制御装置、３１…クランクセンサ、３３…アクセルセンサ、３４…エアフロメータ、３５…水温センサ、３６…温度センサ、３７…空燃比センサ、１００…排気浄化装置。
【図１】
2012202209.tif 000003
【図２】
2012202209.tif 000004
【図３】
2012202209.tif 000005
【図４】
2012202209.tif 000006